(57)【要約】【課題】伝承及び形式に基く外形を維持したままであっても、より良好な音色で、しかも残響時間が長く、余韻が飛躍的に改善された梵音具を提供する。【解決手段】仏りん、印金、磬子（けいす）、梵鐘、半鐘の如き上向きないし下向きの碗型、ドーム型、コップ型等の形状を有する叩打音型の金属製の梵音具において、口縁部の内側であって該口縁部から間隙を有した位置に厚肉部を全周に亘って無端帯状に設けたこと、また、内側底面部から口縁部にかけて肉厚がしだいに厚くなる構成のものであることを特徴とする梵音具である。【選択図】        図１
2007061224.tif 000002
【特許請求の範囲】
【請求項１】
叩打音型の金属製の梵音具において、梵音具本体の内側であって口縁部から間隔を有した位置に梵音具本体の内部空間に向かう内向厚肉部を全周に亘って無端帯状に設けたことを特徴とする梵音具。
【請求項２】
前記内向厚肉部が２以上設けられていることを特徴とする請求項１に記載の梵音具。
【請求項３】
前記内向厚肉部が口縁部に沿って無端帯状に設けられていることを特徴とする請求項１又は２に記載の梵音具。
【請求項４】
前記口縁部に厚肉部が無端帯状に設けられていることを特徴とする請求項１〜３のいずれかに記載の梵音具。
【請求項５】
前記口縁部に設けられた厚肉部が梵音具本体の内部空間に向かう内向厚肉部であることを特徴とする請求項４に記載の梵音具。
【請求項６】
前記梵音具が、底面部から口縁部にかけて肉厚が漸次厚くなる構成であることを特徴とする請求項１〜５のいずれかに記載の梵音具。
【請求項７】
前記梵音具が、仏りん、印金、磬子（けいす）、梵鐘、半鐘の如き上向きないし下向きの碗型、ドーム型、コップ型等の形状を有するものであることを特徴とする請求項１〜６のいずれかに記載の梵音具。
【発明の詳細な説明】
【技術分野】
【０００１】
本発明は梵音具に関し、詳しくは、音鳴りの良好な仏りん、印金、磬子（けいす）、梵鐘、半鐘等の金属製の梵音具に関する。
【背景技術】
【０００２】
叩打音型の金属製の梵音具としては、仏りん、印金、磬子（けいす）、梵鐘、半鐘の如き上向きないしは下向きの碗型、ドーム型、コップ型等の形状を有している。
【０００３】
これらの梵音具の叩打音は「甲・乙・聞」という三つの音から成る。即ち、「甲」は叩打した最初の「カーン」や「チーン」という音であり、「乙」は次に続く「モンモン・・・」という音であり、「聞」は音が消えていく際の「ウーン」という音である。
【０００４】
梵音具においては、最初の叩打音である「甲」の音色が良好であると共に、唸りや共鳴（共振）音である「乙・聞」の残響時間の長いことが望まれている。
【０００５】
良好な叩打音を得るために、梵音具の厚みをある程度の厚さとし、更に、長い共鳴（共振）音を得るために、梵音具の内側底面部から口縁部にかけて肉厚をしだいに厚くし、口縁部を相当厚みを有するように形成することが行われている（特許文献１の図１及び図７、特許文献２の図１〜図８、特許文献３の図８及び図９、特許文献４の図２、特許文献５の図２等参照）。
【０００６】
【特許文献１】特開平８−２０５９８９号公報
【特許文献２】特開２００３−３１９８６９号公報
【特許文献３】特開２００４−１４１３７２号公報
【特許文献４】実開昭６３−１２７４７５号公報
【特許文献５】実開平５−５３５８０号公報
【発明の開示】
【発明が解決しようとする課題】
【０００７】
本発明者は、これらの先行技術について更に研究を続けた結果、より良好な音色で、しかも残響時間が長く、余韻が飛躍的に改善された梵音具を見出すことができた。
【０００８】
本発明の課題は、より良好な音色で、しかも残響時間が長く、余韻が飛躍的に改善された梵音具を提供することにある。
【課題を解決するための手段】
【０００９】
上記課題を解決する本発明は下記構成を有する。
１．叩打音型の金属製の梵音具において、梵音具本体の内側であって口縁部から間隔を有した位置に梵音具本体の内部空間に向かう内向厚肉部を全周に亘って無端帯状に設けたことを特徴とする梵音具。
【００１０】
２．前記内向厚肉部が２以上設けられていることを特徴とする上記１に記載の梵音具。
【００１１】
３．前記内向厚肉部が口縁部に沿って無端帯状に設けられていることを特徴とする上記１又は２に記載の梵音具。
【００１２】
４．前記口縁部に厚肉部が無端帯状に設けられていることを特徴とする上記１〜３のいずれかに記載の梵音具。
【００１３】
５．前記口縁部に設けられた厚肉部が梵音具本体の内部空間に向かう内向厚肉部であることを特徴とする上記４に記載の梵音具。
【００１４】
６．前記梵音具が、底面部から口縁部にかけて肉厚が漸次厚くなる構成であることを特徴とする上記１〜５のいずれかに記載の梵音具。
【００１５】
７．前記梵音具が、仏りん、印金、磬子（けいす）、梵鐘、半鐘の如き上向きないし下向きの碗型、ドーム型、コップ型等の形状を有するものであることを特徴とする上記１〜６のいずれかに記載の梵音具。
【発明の効果】
【００１６】
請求項１に示す発明によれば、梵音具本体の内側であって口縁部から間隔を有した位置に梵音具本体の内部空間に向かう内向厚肉部を全周に亘って無端帯状に設けたことにより、最初の叩打音である「甲」の音色が良好であると共に、唸りや共鳴（共振）音である「乙・聞」の残響時間の長い梵音具を得ることができる。また、鈴台、りん布団等の支持台・受台、支持用柱、梵鐘吊り金具等を付加した態様としても、より良好な音色で、しかも残響時間が長く、余韻が飛躍的に改善された梵音具を得ることができる。
【００１７】
特に、伝承及び形式が重んじられる仏具である梵音具において、伝承及び形式に基く外形を維持したままであっても音鳴りを飛躍的に改善することができる。
【００１８】
請求項２に示す発明によれば、請求項１の内向厚肉部が２以上設けられていることにより、最初の叩打音である「甲」の音色が良好であると共に、唸りや共鳴（共振）音である「乙・聞」の残響時間の長い梵音具を得ることができる。
【００１９】
請求項３に示す発明によれば、請求項１又は２の内向厚肉部が口縁部に沿って無端帯状に設けられていることにより、唸りや共鳴（共振）音である「乙・聞」の残響時間のより長い梵音具を得ることができる。
【００２０】
請求項４に示す発明によれば、請求項１〜３の口縁部に厚肉部が無端帯状に設けたことにより、唸りや共鳴（共振）音である「乙・聞」の残響時間の長い梵音具を得ることができる。
【００２１】
請求項５に示す発明によれば、請求項４の口縁部に設けられた厚肉部が梵音具本体の内部空間に向かう内向厚肉部であることにより、唸りや共鳴（共振）音である「乙・聞」の残響時間のより長い梵音具を得ることができる。
【００２２】
請求項６に示す発明によれば、請求項１〜５の梵音具本体が、底面部から口縁部にかけて肉厚が漸次厚くなる構成であることにより、最初の叩打音である「甲」の音色がより良好な梵音具を得ることができる。
【００２３】
請求項７に示す発明によれば、請求項１〜６の梵音具が、仏りん、印金、磬子（けいす）、梵鐘、半鐘の如き上向きないし下向きの碗型、ドーム型、コップ型等の形状を有する梵音具を得ることができる。
【発明を実施するための最良の形態】
【００２４】
以下、本発明の梵音具の詳細について添付図面に基づき説明する。
【００２５】
図１は本発明の梵音具の第１実施例を示す断面図、図２は本発明の梵音具の第２実施例を示す断面図、図３は本発明の梵音具の第３実施例を示す断面図、図４は本発明の梵音具の第３実施例の他の例を示す断面図、図５は本発明の梵音具の第４実施例を示す断面図、図６は本発明の梵音具の第５実施例を示す断面図である。
【００２６】
本発明に係る梵音具は、仏りん、印金、磬子（けいす）、梵鐘、半鐘の如き上向きないし下向きの碗型、ドーム型、コップ型等の形状を有する叩打音型の金属製の梵音具である。
【００２７】
先ず、梵音具の第１実施例について図１に基き説明する。
【００２８】
図１に示す梵音具の第１実施例は、仏りん、印金又は磬子（けいす）の如き上向きの鉢型又は碗型の梵音具を示すものであり、梵音具本体１の内側であって口縁部２から間隔を有した位置に梵音具本体１の内部空間に向かう内向厚肉部３が全周に亘って無端帯状に設けられた構成を有する。
【００２９】
内向厚肉部３の位置は、梵音具本体１の最上部である口縁部２の上面から最下部である底面４までの高さを２０等分した際に、口縁部２の上面から２０分の１〜２０分の８の範囲にあることが好ましく、２０分の２〜２０分の６の範囲にあることがより好ましい。
【００３０】
また内向厚肉部３の高さＸは、該内向厚肉部３の直上または直下の部分の梵音具本体１の肉厚の０．５倍〜２倍程度が好ましく、約１倍がより好ましい。
【００３１】
さらに内向厚肉部３の上下方向の幅Ｙは、前記高さＸと略同じであることが好ましい。
【００３２】
第１実施例に示す梵音具では、底面４から口縁部２にかけて肉厚が漸次厚くなり、口縁部２で相当厚みを有する肉厚のものを示したが、本発明はこれに限らず、同一厚みで形成されるものや、段階的に厚みを増すものにも適用することができる。
【００３３】
次に、梵音具の第２実施例について図２に基き説明する。
【００３４】
図２に示す梵音具の第２実施例も、仏りん、印金又は磬子（けいす）の如き上向きの鉢型又は碗型の梵音具を示すものであり、梵音具本体１の内側であって口縁部２から間隔を有した位置に梵音具本体１の内部空間に向かう内向厚肉部３が全周に亘って無端帯状に設けられ、更に口縁部２にも梵音具本体１の内部空間に向かう内向厚肉部３’が該口縁部２に沿って全周に亘って無端帯状に設けられた構成を有する。即ち、梵音具本体１の内側に無端帯状に設けられた内向厚肉部３・３’を２段設けた構成となっている。
【００３５】
第２実施例において、内向厚肉部３の位置、内向厚肉部３・３’の高さ、内向厚肉部３・３’の上下方向の幅については、前記実施例１と同様である。
【００３６】
また、第２実施例に示す梵音具においても、底面４から口縁部２にかけて肉厚が漸次厚くなり、口縁部２で相当厚みを有する肉厚のものを示したが、本発明はこれに限らず、同一厚みで形成されるものや、段階的に厚みを増すものにも適用することができる。
【００３７】
次に、梵音具の第３実施例について図３及び図４に基き説明する。
【００３８】
図３及び図４に示す梵音具の第３実施例は、梵鐘、半鐘の如き下向きのコップ型（図３）や喚鐘の如き帽子型（図４）の梵音具を示すものであり、梵音具本体１の内側であって口縁部２から間隔を有した位置に梵音具本体１の内部空間に向かう内向厚肉部３が全周に亘って無端帯状に設けられた構成を有する。図３に示す態様では、口縁部２に内向きではない（外向きの）厚肉部５が該口縁部２に沿って無端帯状に設けられている。
【００３９】
内向厚肉部３の位置は、梵音具本体１の最下部である口縁部２の下面から最上部である上面６（竜頭７の付け根である笠形の上面）までの高さを２０等分した際に、口縁部２の下面から２０分の１〜２０分の８の範囲にあることが好ましく、２０分の２〜２０分の６の範囲にあることがより好ましい。
【００４０】
また、内向厚肉部３の高さ、内向厚肉部３の上下方向の幅については、前記実施例１と同様である。尚、図３に示す態様において、口縁部２に設けられた厚肉部５についても内向厚肉部３と同様の高さ・同様の上下方向の幅を有することが好ましい。
【００４１】
第３実施例に示す梵音具では、各部において同一厚みで形成されるものを示したが、本発明はこれに限らず、前記第１実施例及び第２実施例と同様、口縁部２にかけて肉厚が漸次厚くなり、口縁部２で相当厚みを有する肉厚のものや、段階的に厚みを増すものにも適用することができる。
【００４２】
次に、梵音具１の第４実施例について図５に基き説明する。
【００４３】
図５に示す梵音具の第４実施例は、前記第１実施例及び第２実施例と同様の仏りん、印金又は磬子（けいす）の如き上向きの鉢型又は碗型の梵音具を示すものである。
【００４４】
本第４実施例では、梵音具本体１の内側であって口縁部２から間隔を有した位置の２箇所に梵音具本体１の内部空間に向かう内向厚肉部３・３”が全周に亘って無端帯状に夫々設けられた構成を有する。即ち、梵音具本体１の内側に無端帯状に設けられた内向厚肉部３・３”を２段設けた構成となっている。
【００４５】
図２に示す前記第２実施例も内向厚肉部３・３’が２段設けられた構成であるが、第２実施例が、口縁部２から間隔を有した位置と、口縁部２内側の該口縁部２に沿った位置との２段であるのに対し、第４実施例は、２段の無端帯状の内向厚肉部３・３”の両方が口縁部２から間隔を有した位置に設けられた構成となっている。
【００４６】
第４実施例において、内向厚肉部３の位置、内向厚肉部３・３”の高さ、内向厚肉部３・３”の上下方向の幅については、前記実施例１と同様である。
【００４７】
また、内向厚肉部３”の位置は、梵音具本体１の最上部である口縁部２の上面から最下部である底面４までの高さを２０等分した際に、口縁部２の上面から２０分の４〜２０分の１０の範囲にあることが好ましく、２０分の７〜２０分の９の範囲にあることがより好ましい。
【００４８】
さらに、第４実施例に示す梵音具においても、底面４から口縁部２にかけて肉厚が漸次厚くなり、口縁部２で相当厚みを有する肉厚のものを示したが、本発明はこれに限らず、同一厚みで形成されるものや、段階的に厚みを増すものにも適用することができる。
【００４９】
次に、梵音具の第５実施例について図６に基き説明する。
【００５０】
図６に示す梵音具の第５実施例は、前記第１実施例、第２実施例及び第４実施例と同様の仏りん、印金又は磬子（けいす）の如き上向きの鉢型又は碗型の梵音具を示すものである。
【００５１】
本第５実施例では、梵音具本体１の内側であって口縁部２から間隔を有した位置の２箇所に梵音具本体１の内部空間に向かう内向厚肉部３・３”が全周に亘って無端帯状に夫々設けられ、更に口縁部２の内側にも梵音具本体１の内部空間に向かうと共に該口縁部２に沿った内向厚肉部３’が全周に亘って無端帯状に設けられた構成を有する。即ち、梵音具本体１の内側に無端帯状に設けられた内向厚肉部３・３’・３”を３段設けた構成となっている。
【００５２】
第５実施例において、内向厚肉部３・３’の位置、内向厚肉部３・３’・３”の高さ、内向厚肉部３・３’・３”の上下方向の幅については、前記実施例１と同様である。また、内向厚肉部３”の位置は、前記第４実施例と同様である。
【００５３】
また、第５実施例に示す梵音具においても、底面４から口縁部２にかけて肉厚が漸次厚くなり、口縁部２で相当厚みを有する肉厚のものを示したが、本発明はこれに限らず、同一厚みで形成されるものや、段階的に厚みを増すものにも適用することができる。
【００５４】
以上、本発明に係る梵音具について、第１実施例〜第５実施例を説明したが、本発明は上記実施例に限定されず、本発明の範囲内において、例えば、下記するような種々の態様を採ることができる。
【００５５】
上記第１実施例〜第５実施例では、内向厚肉部の数は１〜３であったが、４以上であってもよい。
【００５６】
第３実施例の図３に示す厚肉部５は、口縁部２に限らず、口縁部２から間隔を有した位置に設けられていてもよく、内向厚肉部３・３’・３”と一致する梵音具本体１の外側位置に設けられてもよいし、一致しない外側位置に設けられていてもよい。
【００５７】
無端帯状の内向厚肉部３・３’・３”及び厚肉部５は、第１実施例〜第５実施例に示すように口縁部２と平行に設けられた構成が好ましいが、本発明はこれに限らず、口縁部２に対して傾斜した状態で設けられていてもよいし、波状・ジグザグ状・クランク状等の非直線状に設けられていてもよい。
【００５８】
内向厚肉部３・３’・３”及び厚肉部５は、梵音具本体１と一体的に形成される構成に限らず、後付け形成であってもよい。
【００５９】
内向厚肉部３・３’・３”及び厚肉部５は、断面形状が、図１、図２、図５及び図６に示す台形、図３に示す半円形と三角形、図４に示す半円形に限らず、矩形、その他の多角形等、他の形状であってもよい。
【００６０】
本発明の梵音具は、鈴台、りん布団等の支持台・受台、支持用柱、梵鐘吊り金具等を付加した態様の場合であっても、より良好な音色で、しかも残響時間が長く、余韻が飛躍的に改善されるものである。
【図面の簡単な説明】
【００６１】
【図１】本発明の梵音具の第１実施例を示す断面図
【図２】本発明の梵音具の第２実施例を示す断面図
【図３】本発明の梵音具の第３実施例を示す断面図
【図４】本発明の梵音具の第３実施例の他の例を示す断面図
【図５】本発明の梵音具の第４実施例を示す断面図
【図６】本発明の梵音具の第５実施例を示す断面図
【符号の説明】
【００６２】
１  梵音具本体
２  口縁部
３・３’・３”  内向厚肉部
４  底面
５  厚肉部
６  上面
７  竜頭
【図１】
2007061224.tif 000003
【図２】
2007061224.tif 000004
【図３】
2007061224.tif 000005
【図４】
2007061224.tif 000006
【図５】
2007061224.tif 000007
【図６】
2007061224.tif 000008